(57)【要約】【課題】回転体と軸とを備えた遊技部品において、回転体を軸に対して回転しないように結合できるようにする。【解決手段】前端部８に雄ねじ部１０を有する軸５とこの軸の前端貫通用の貫通孔を有する回転体（ドラムリール３）とを備え、回転体の貫通孔９が主孔部１２と大径孔部１４とを有し、軸が貫通孔に挿入される軸部１１の後に当該軸部の径より大径の鍔部１５を備え、鍔部１５が当該軸部１１の外方向に突出する接触面１６とこの接触面の外周縁１７から外方向に行くに従って後方に傾く後傾面１８とを備え、軸の前端部を大径孔部から主孔部に挿入して前方に突出させて雄ねじ部にナット部材（ナット３１）を締結し、ナット部材の押圧力が鍔部の後傾面に貫通孔の大径孔部の後縁３２を食い込ませかつ接触面１６と段差面３３とを接触させることにより、軸と回転体とが互いに結合されたものとした。【選択図】        図４
2005000437.tif 000002
【特許請求の範囲】
【請求項１】
前端部に雄ねじ部を有する軸とこの軸の前端貫通用の貫通孔を有する回転体とを備え、回転体の貫通孔が軸に整合する主孔部と軸の挿入側端において主孔部より大径に形成された大径孔部とを有し、軸が貫通孔に挿入される軸部の後に当該軸部の径より大径の鍔部を備え、鍔部が当該軸部の外方向に突出する接触面とこの接触面の外周縁から外方向に行くに従って後方に傾く後傾面とを備え、軸の前端部を回転体の大径孔部から主孔部に挿入し、この前端部の雄ねじ部を回転体より前方に突出させ、この雄ねじ部にナット部材を締結し、ナット部材が回転体を後側に押圧し、この押圧力が鍔部の後傾面に貫通孔の大径孔部の後縁を食い込ませかつ接触面と段差面とを接触させることにより、軸と回転体とが互いに結合されたことを特徴とする遊技機の遊技部品。
【請求項２】
後傾面が鍔部の外周と接触面とに延長する溝と突起とを周方向に交互に複数備えたことを特徴とする請求項１に記載の遊技機の遊技部品。
【請求項３】
軸と別体に形成された鍔部が軸と同軸の嵌合孔を有し、鍔部の嵌合孔と軸の軸部とが嵌合により互いに結合されたことを特徴とする請求項１又は請求項２に記載の遊技機の遊技部品。
【請求項４】
回転体が図柄表示装置のドラムリールであり、このドラムリールの周面に設けられた図柄支持体が軸側回転原点と特定の図柄との位置合わせ作業のための位置決め基準となる目印を備えたことを特徴とする請求項１ないし請求項３のいずれかに記載の遊技機の遊技部品。
【発明の詳細な説明】
【０００１】
【発明の属する技術分野】
この発明は、軸と回転体とを備えた遊技機の遊技部品に関し、特に、軸と回転体との結合構造に関するものである。
【０００２】
【従来の技術】
遊技機に用いられる遊技部品としての図柄表示装置のリールユニットは、図６に示すように、図柄６５を有する帯状のリールテープ５０を周面に備えた円筒状体のドラムリール５１をモータ５２の軸５３に取付けて構成される（例えば、特許文献１参照）。ドラムリール５１は、軸取付部５４と、軸取付部５４に形成された軸嵌合部５５と、リールテープ５０が取付けられる筒状体５６と、軸取付部５４と筒状体５６とを繋ぐ支持アーム５７とで構成される。図６において、６０はモータ取付板、６１はリールユニットの上板、６２はリールユニットの下板である。
【０００３】
【特許文献１】
登録実用新案第３００１９４５号公報
【０００４】
【発明が解決しようとする課題】
特許文献１のリールユニットにおいては、モータ５２の軸５３の先端部を異形に形成し、この異形先端部６３をこの異形先端部６３の形状に合った凹部により形成された軸嵌合部５５に嵌合して図外のねじで固定することによりドラムリール５１をモータ５２の軸５３に取付けている。図外のエンコーダを内蔵するモータ５２では、モータ５２の軸５３の回転原点とエンコーダの回転検出原点とが一致しており、通常、異形先端部６３を軸嵌合部５５に取付けることで軸５３の回転原点及びエンコーダの回転検出原点とドラムリール５１の回転原点とを一致させることができ、このドラムリール５１の回転原点の目印６４をドラムリール５１の筒状体５６に付けておき、上記目印６４の位置に特定の図柄（例えば「７」）が位置するようにリールテープ５０を筒状体５６の周囲に巻き付けて取付けることで、軸５３の回転原点と特定の図柄とを位置合わせするようにしている。尚、エンコーダをモータ５２の軸５３に外付けする場合は、エンコーダの回転検出原点とモータ５２の軸５３の回転原点とを一致させる必要がある。
従って、特定の図柄を軸５３の回転原点やエンコーダの回転検出原点（以下、「軸側回転原点」という）に一致させるためには、モータ５２の軸５３の先端部を異形に形成するとともにドラムリール５１に異形先端部６３を嵌合する軸嵌合部５５を設け、かつ、ドラムリール５１の回転原点の目印６４をドラムリール５１の筒状体５６に付けておき、そして、この目印６４を基準としてこの目印６４に特定の図柄の位置が合うようにリールテープ５０を筒状体５６に取付けなくてはならず、リールユニットの組立作業が煩雑となるという課題があった。また、軸側回転原点とドラムリール５１の回転原点とを一致させるためには、異形先端部６３と軸嵌合部５５とからなる位置合わせ構成部品が必要となるという課題があった。即ち、先端部が丸軸の軸をドラムリール等の回転体の軸取付部の丸孔に嵌合してねじで取付けるようにして特定の図柄を軸側回転原点に一致させて軸と回転体とを組付けたとしても、経時によりねじが緩み、軸に対して回転体が回転してしまって特定の図柄と軸側回転原点との位置がずれてしまう。従って、従来、回転体の回転原点と軸側回転原点との位置がずれないように異形先端部６３を備えた軸５３と軸嵌合部５５とからなる位置合わせ構成部品を用い、それゆえ、上述したような煩雑な位置合わせ作業が必要になってしまうという課題があった。
本発明は、回転体と軸とを備えた遊技部品において、回転体を軸に対して回転しないように結合できるようにして、位置合わせ構成部品を不用とし、そして、軸側回転原点と回転体の回転原点とを位置合わせして回転体を軸に取付ける組立作業を容易にできる遊技部品を提供することを目的とする。
【０００５】
【課題を解決するための手段】
本発明による遊技機の遊技部品は、前端部に雄ねじ部を有する軸とこの軸の前端貫通用の貫通孔を有する回転体とを備え、回転体の貫通孔が軸に整合する主孔部と軸の挿入側端において主孔部より大径に形成された大径孔部とを有し、軸が貫通孔に挿入される軸部の後に当該軸部の径より大径の鍔部を備え、鍔部が当該軸部の外方向に突出する接触面とこの接触面の外周縁から外方向に行くに従って後方に傾く後傾面とを備え、軸の前端部を回転体の大径孔部から主孔部に挿入し、この前端部の雄ねじ部を回転体より前方に突出させ、この雄ねじ部にナット部材を締結し、ナット部材が回転体を後側に押圧し、この押圧力が鍔部の後傾面に貫通孔の大径孔部の後縁を食い込ませかつ接触面と段差面とを接触させることにより、軸と回転体とが互いに結合されたものとしたので、軸に対して回転しないように回転体を軸に強固に結合できるようになる。従って、回転体の貫通孔に軸を挿入して、軸側回転原点と回転体の回転原点とを位置合わせ治具等を用いて位置合わせした後に上記構成に基いて軸と回転体とを互いに結合すれば、軸側回転原点と回転体の回転原点とが位置合わせされた状態に軸と回転体とが強固に結合されるので、リールユニット等の回転体と軸とを備えた遊技部品において、位置合わせ構成部品を不用とでき、しかも、軸側回転原点と回転体の回転原点とを位置合わせして回転体を軸に取付ける組立作業を容易にできる。
また、後傾面が鍔部の外周と接触面とに延長する溝と突起とを周方向に交互に複数備えたので、軸と回転体との結合をより強固にでき、信頼性の高い遊技部品が得られる。
また、軸と別体に形成された鍔部が軸と同軸の嵌合孔を有し、鍔部の嵌合孔と軸の軸部とが嵌合により互いに結合されたものとしたので、汎用の軸を利用することができて、コストを低減できる。
また、回転体が図柄表示装置のドラムリールであり、このドラムリールの周面に設けられた図柄支持体が軸側回転原点と特定の図柄との位置合わせ作業のための位置決め基準となる目印を備えたので、ドラムリールに対する図柄支持体の図柄の位置合わせが不用となり、ドラムリールの周面に設けられた図柄支持体の目印と軸側回転原点とを位置合わせ治具等を用いて位置合わせした後に上記構成に基いて軸とドラムリールとを互いに結合すれば、軸側回転原点と図柄支持体の特定の図柄とが位置合わせされた状態に軸とドラムリールとが組付けられるので、リールユニットの組立作業を容易にできる。
【０００６】
【発明の実施の形態】
実施形態１
図１は実施形態１による遊技部品としてのリールユニットの分解斜視図、図２（ａ）はドラムリールの縦断面図、図２（ｂ）は図２（ａ）の要部拡大図、柄表示体の平面図、図３（ａ）は軸の正面図、図３（ｂ）は図３（ａ）の要部拡大図、図４は軸とドラムリールとの結合方法を説明した動作説明図である。尚、図１において従来例の図６と同一構成部分は同一符号を付して詳説を省略する。
実施形態１の遊技部品としての図柄表示装置のリールユニット１は、周面に図柄６５を備えたドラムリール３をモータ４の軸５に取付けて構成される。
【０００７】
回転体としてのドラムリール３は、例えば加熱したＰＥＴ（ポリエチレンテレフタレート）等の合成樹脂を金型に押し当てて真空引きして成形する真空成形法により１ｍｍ〜０．５ｍｍ程度の薄肉厚の前面閉塞後方開放の円筒形状に形成された後、外周面３ａあるいは内周面に図柄６５を備えたリールテープ２が貼り付けられたり、外周面３ａあるいは内周面に図柄６５が印刷されたりして成る。ドラムリール３の前面壁６の中央後面には軸取付部７を備える。軸取付部７は後方に延長する円筒ボスにより形成され、中央に軸５の前端部８を貫通させる貫通孔９を有する。例えば金属製の軸５の前端部８には雄ねじ部１０が形成されている。貫通孔９は後述する軸５の軸部１１に整合する主孔部１２と軸５の挿入側端１３において主孔部１２より大径に形成された大径孔部１４とを有する。軸５は貫通孔９に挿入される軸部１１の後に当該軸部１１の径より大径の鍔部１５を備える。鍔部１５は当該軸部１４の外方向に突出する接触面１６とこの接触面１６の外周縁１７から外方向に行くに従って後方に傾く後傾面１８とこの後傾面１８の後縁１９から後方に延長する外周面２０とを備える。後傾面１８には鍔部１５の外周面２０と接触面１６とに延長する溝２１と突起２２とが周方向に交互に複数形成されている。
【０００８】
次に軸５とドラムリール３との結合方法を説明する。図４（ａ）に示すように軸５の前端部８及び軸部１１をドラムリール３の貫通孔９の大径孔部１４から主孔部１２に挿入し、前端部８の雄ねじ部１０を前面壁６より前方に突出させる。そして、図４（ｂ）に示すように、雄ねじ部１０にワッシャ３０及びナット３１を取付け、ナット３１を徐々に締め付けていく。これにより、ナット３１がドラムリール３を後側に押圧し、この押圧力により鍔部１５の後傾面１８に貫通孔９の大径孔部１４の後縁３２が食い込む。さらに、ナット３１を締め付けていくと、鍔部１５の後傾面１８に貫通孔９の大径孔部１４の後縁３２がさらに食い込んでいく。最終的には、大径孔部１４と主孔部１２との境目である段差面３３と接触面１６とが圧接するとともに大径孔部１４の後縁３２がつぶれて鍔部１５の後傾面１８に圧接する。これにより、軸５とドラムリール３とが互いに強固に結合される。尚、ドラムリール３は柔らかい合成樹脂等で形成し、軸５は硬い金属等で形成することにより、後傾面１８と大径孔部１４の後縁３２との食い付きを良くでき、より強固に結合できるようになる。
【０００９】
以上により、軸５に対して回転しないようにドラムリール３を軸５に強固に結合できるので、軸側回転原点とドラムリール３の回転原点との位置合わせ組付作業を以下のように行うことが可能となる。リールテープ２（図柄支持体）の特定の図柄６５（例えば「７」）の位置に、軸側回転原点と特定の図柄６５との位置合わせ作業のための位置決め基準となる目印６６（図１参照）を予め設けておく。そして、軸５にドラムリール３が完全に結合されていない状態、例えば図４（ｂ）の状態において、軸側回転原点とドラムリール３に取付けられたリールテープ２の目印６６とを位置合わせ治具等を用いて位置合わせした後に上記構成に基いて軸５とドラムリール３とを図４（ｃ）に示すように互いに完全に結合すれば、軸側回転原点と特定の図柄の位置とが位置合わせされた状態に軸５とドラムリール３とが強固に結合される。尚、モータ内にエンコーダが内蔵されている場合は軸側回転原点の目印がモータのケーシングあるいは軸５に記されているので、この目印と目印６６とを位置合わせ治具等を用いて位置合わせすればよい。エンコーダが軸５に外付けされている場合はエンコーダのスリット検出円盤の原点スリットと目印６６とを位置合わせ治具等を用いて位置合わせすればよい。
従って、リールユニット１において、位置合わせ構成部品を不用とでき、しかも、軸側回転原点と特定の図柄６５とを位置合わせしてドラムリール３と軸５とを互いに結合するリールユニット１の組立作業を容易にできる。さらに、鍔部１５の後傾面１８が鍔部１５の外周面２０と接触面１６とに延長する溝２１と突起２２とを周方向に交互に複数備えたので、軸５とドラムリール３との結合をより強固にでき、信頼性の高いリールユニット１が得られる。
【００１０】
実施形態２
図５に示すように、軸５Ａと別体に形成され軸５Ａと同軸の嵌合孔７０を有する鍔部１５Ａを用い、鍔部１５Ａの嵌合孔７０と軸５Ａの軸部５ａとが嵌合により互いに結合されたものを用いてもよい。このような組立軸７１を用いれば、汎用の軸５Ａを利用することができて、コストを低減できる。尚、軸部５ａの後方には段差面７２が形成され、この段差面７２で鍔部１５Ａの後端面７３を係止している。また、鍔部１５Ａは鍔部１５の構成要素を全て備えている。
【００１１】
実施形態では、リールユニット１を例にしたが、回転体と軸とを備え、これらを結合して構成される遊技機の遊技部品であれば実施形態と同じ効果が得られる。
また、上記では、軸としてモータ４の軸５を例にしたが、回転体と結合される軸を備えた遊技機の遊技部品であればよい。
【図面の簡単な説明】
【図１】本発明の実施形態１による遊技部品としてのリールユニットの分解斜視図。
【図２】同リールユニットのドラムリールを示す図。
【図３】同リールユニットの軸を示す図。
【図４】同リールユニットのドラムリールと軸との結合方法を示す図。
【図５】実施形態２によるリールユニットの軸を示す図。
【図６】従来の遊技部品としてのリールユニットの分解斜視図。
【符号の説明】
１  リールユニット、２  リールテープ（図柄支持体）、
３  ドラムリール（回転体）、３ａ  外周面、５，５Ａ  軸、８  前端部、
９  貫通孔、１０  雄ねじ部、５ａ，１１  軸部、１２  主孔部、
１３  挿入側端、１４  大径孔部、１５，１５Ａ  鍔部、１６  接触面、
１７  外周縁、１８  後傾面、１９  後縁、２０  外周面、２１  溝、
２２  突起、６５  図柄、６６  目印、７０  嵌合孔。
【図１】
2005000437.tif 000003
【図２】
2005000437.tif 000004
【図３】
2005000437.tif 000005
【図４】
2005000437.tif 000006
【図５】
2005000437.tif 000007
【図６】
2005000437.tif 000008